【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
無線電力伝送システムのための電力送信機であって、前記無線電力伝送システムは無線誘導電力伝送信号を介して前記電力送信機からの電力伝送を受信するための電力受信機を含み、前記電力送信機は、
前記無線誘導電力伝送信号を生成するための送信電力コイルを備える電力出力回路と、
磁気テスト信号を生成するためのテスト信号コイルと、
前記テスト信号コイルに結合され、テスト信号を前記テスト信号コイルに供給して前記磁気テスト信号の生成をもたらすテスト信号生成器と、
複数の空間的に分散配置された検知コイルと、
前記磁気テスト信号によって前記複数の空間的に分散配置された検知コイルに誘起された信号を反映する測定値の組を生成するための測定ユニットと、
前記測定値の測定空間分布を求めるためのプロセッサであって、前記測定空間分布は前記検知コイルの位置を反映している、プロセッサと、
基準空間分布に対する前記測定空間分布の比較に応じて異物の存在を検知する異物検知器であって、前記異物検知器は、電力受信デバイスから受信されたデータに応じて前記基準空間分布を求める、異物検知器と
を備える、電力送信機。
【請求項２】
無線電力伝送システムのための電力送信機であって、前記無線電力伝送システムは無線誘導電力伝送信号を介して前記電力送信機からの電力伝送を受信するための電力受信機を含み、前記電力送信機は、
前記無線誘導電力伝送信号を生成するための送信電力コイルを備える電力出力回路と、
磁気テスト信号を生成するためのテスト信号コイルと、
前記テスト信号コイルに結合され、テスト信号を前記テスト信号コイルに供給して前記磁気テスト信号の生成をもたらすテスト信号生成器と、
複数の空間的に分散配置された検知コイルと、
前記磁気テスト信号によって前記複数の空間的に分散配置された検知コイルに誘起された信号を反映する測定値の組を生成するための測定ユニットと、
前記測定値の測定空間分布を求めるためのプロセッサであって、前記測定空間分布は前記検知コイルの位置を反映している、プロセッサと、
基準空間分布に対する前記測定空間分布の比較に応じて異物の存在を検知する異物検知器であって、前記異物検知器は、前記比較の前に、前記測定空間分布及び前記基準空間分布のうちの少なくとも一方の幾何学的変換を行うことによって前記測定空間分布と前記基準空間分布とを幾何学的に位置合わせする、異物検知器と
を備える、電力送信機。
【請求項３】
前記基準空間分布は、異物が存在しないシナリオを表す、請求項１又は２に記載の電力送信機。
【請求項４】
前記基準空間分布は、電力受信デバイスが存在するシナリオを表す、請求項１から３のいずれか一項に記載の電力送信機。
【請求項５】
前記異物検知器は、前記測定空間分布の複製を記憶し、記憶された前記測定空間分布を将来の比較のための前記基準空間分布として使用する、請求項１から４のいずれか一項に記載の電力送信機。
【請求項６】
前記幾何学的変換は、平行移動及び回転のうちの少なくとも一方を含む、請求項２、又は請求項２に従属する請求項３から５のいずれか一項に記載の電力送信機。
【請求項７】
ユーザ出力ユニットを更に備え、前記異物検知器は、幾何学的変換のパラメータの指標のユーザ出力を生成する、請求項１又は２に記載の電力送信機。
【請求項８】
前記測定ユニットは、異なる周波数の前記磁気テスト信号に対して複数組の測定値を生成し、前記プロセッサは、測定値の各組に対して測定空間分布を生成することによって、複数の測定空間分布を生成し、前記異物検知器は、少なくとも１つの基準空間分布に対する前記複数の測定空間分布の比較に応じて、前記異物の存在を検知する、請求項１から７のいずれか一項に記載の電力送信機。
【請求項９】
前記複数の空間的に分散配置された検知コイルのうちの少なくともいくつかは、２０ｍｍを超えない最大寸法を有し、前記複数の空間的に分散配置された検知コイルは、２０個以上の検知コイルを含む、請求項１又は２に記載の電力送信機。
【請求項１０】
前記測定ユニットは、前記複数の空間的に分散配置された検知コイルの誘起された信号を順次に測定することによって前記測定値の組を生成し、前記順次に測定することは、前記複数の空間的に分散配置された検知コイルのサブセットを個別に測定することを有する、請求項１又は２に記載の電力送信機。
【請求項１１】
電力送信機と、無線誘導電力伝送信号を介して前記電力送信機からの電力伝送を受信するための電力受信デバイスとを備える無線電力伝送システムであって、前記電力送信機は、
前記無線誘導電力伝送信号を生成するための送信電力コイルを備える電力出力回路と、
磁気テスト信号を生成するためのテスト信号コイルと、
前記テスト信号コイルに結合され、テスト信号を前記テスト信号コイルに供給して前記磁気テスト信号の生成をもたらすテスト信号生成器と、
複数の空間的に分散配置された検知コイルと、
前記磁気テスト信号によって前記複数の空間的に分散配置された検知コイルに誘起された信号を反映する測定値の組を生成するための測定ユニットと、
前記測定値の測定空間分布を求めるためのプロセッサであって、前記測定空間分布は前記複数の空間的に分散配置された検知コイルの位置を反映している、プロセッサと、
基準空間分布に対する前記測定空間分布の比較に応じて異物の存在を検知する異物検知器であって、前記異物検知器は、前記比較の前に、前記測定空間分布及び前記基準空間分布のうちの少なくとも一方の幾何学的変換を行うことによって前記測定空間分布と前記基準空間分布とを幾何学的に位置合わせする、異物検知器と
を備える、無線電力伝送システム。
【請求項１２】
電力送信機と、無線誘導電力伝送信号を介して前記電力送信機からの電力伝送を受信するための電力受信デバイスとを備える無線電力伝送システムであって、前記電力送信機は、
前記無線誘導電力伝送信号を生成するための送信電力コイルを備える電力出力回路と、
磁気テスト信号を生成するためのテスト信号コイルと、
前記テスト信号コイルに結合され、テスト信号を前記テスト信号コイルに供給して前記磁気テスト信号の生成をもたらすテスト信号生成器と、
複数の空間的に分散配置された検知コイルと、
前記磁気テスト信号によって前記複数の空間的に分散配置された検知コイルに誘起された信号を反映する測定値の組を生成するための測定ユニットと、
前記測定値の測定空間分布を求めるためのプロセッサであって、前記測定空間分布は前記複数の空間的に分散配置された検知コイルの位置を反映している、プロセッサと、
基準空間分布に対する前記測定空間分布の比較に応じて異物の存在を検知する異物検知器と
を備え、
前記電力受信デバイスは、前記基準空間分布を前記電力送信機に送信し、前記電力送信機は、前記基準空間分布を前記電力受信デバイスから受信する、無線電力伝送システム。
【請求項１３】
電力送信機と、無線誘導電力伝送信号を介して前記電力送信機からの電力伝送を受信するための電力受信デバイスとを備える無線電力伝送システムのための動作の方法であって、前記電力送信機は、
前記無線誘導電力伝送信号を生成するための送信電力コイルを備える電力出力回路と、
磁気テスト信号を生成するためのテスト信号コイルと、
複数の空間的に分散配置された検知コイルと
を備える、方法において、前記方法は、前記電力送信機が、
テスト信号を前記テスト信号コイルに供給して前記磁気テスト信号の生成をもたらすステップと、
前記複数の空間的に分散配置された検知コイルに磁界信号によって誘起された信号を反映する測定値の組を生成するステップと、
前記測定値の測定空間分布を求めるステップであって、前記測定空間分布は前記複数の空間的に分散配置された検知コイルの位置を反映している、ステップと、
基準空間分布に対する前記測定空間分布の比較に応じて異物の存在を検知するステップであって、前記比較の前に、前記測定空間分布及び前記基準空間分布のうちの少なくとも一方の幾何学的変換を行うことによって、前記測定空間分布と前記基準空間分布とを幾何学的に位置合わせすることを有する、ステップと
を行う、方法。
【請求項１４】
電力送信機と、無線誘導電力伝送信号を介して前記電力送信機からの電力伝送を受信するための電力受信デバイスとを備える無線電力伝送システムのための動作の方法であって、前記電力送信機は、
前記無線誘導電力伝送信号を生成するための送信電力コイルを備える電力出力回路と、
磁気テスト信号を生成するためのテスト信号コイルと、
複数の空間的に分散配置された検知コイルと
を備える、方法において、前記方法は、前記電力送信機が、
テスト信号を前記テスト信号コイルに供給して前記磁気テスト信号の生成をもたらすステップと、
前記複数の空間的に分散配置された検知コイルに磁界信号によって誘起された信号を反映する測定値の組を生成するステップと、
前記測定値の測定空間分布を求めるステップであって、前記測定空間分布は前記複数の空間的に分散配置された検知コイルの位置を反映している、ステップと、
基準空間分布に対する前記測定空間分布の比較に応じて異物の存在を検知するステップとを有し、
前記電力受信デバイスが、前記基準空間分布を前記電力送信機に送信するステップと、前記電力送信機が、前記基準空間分布を前記電力受信デバイスから受信するステップとを更に有する、方法。
【請求項１５】
無線電力伝送システムの電力送信機のための動作の方法であって、前記無線電力伝送システムは無線誘導電力伝送信号を介して前記電力送信機からの電力伝送を受信するための電力受信デバイスも備える、方法において、前記電力送信機は、
前記無線誘導電力伝送信号を生成するための送信電力コイルを備える電力出力回路と、
磁気テスト信号を生成するためのテスト信号コイルと、
前記テスト信号コイルに結合され、テスト信号を前記テスト信号コイルに供給して前記磁気テスト信号の前記生成をもたらすテスト信号生成器と、
複数の空間的に分散配置された検知コイルと、
前記磁気テスト信号によって前記複数の空間的に分散配置された検知コイルに誘起された信号を反映する測定値の組を生成するための測定ユニットと、
前記測定値の測定空間分布を求めるためのプロセッサであって、前記測定空間分布は前記検知コイルの位置を反映している、プロセッサと、
基準空間分布に対する前記測定空間分布の比較に応じて異物の存在を検知する異物検知器とを備え、
前記比較の前に、前記測定空間分布及び前記基準空間分布のうちの少なくとも一方の幾何学的変換を行うことによって前記測定空間分布と前記基準空間分布とを幾何学的に位置合わせするステップを有する、方法。